(57)【要約】【課題】複数の項目の設定事項に従って貨幣の処理を行う貨幣処理装置において、操作者が、複数の項目について設定入力を行うことを容易にする共に、複数の項目の設定事項の確認を容易にする。【解決手段】貨幣処理装置（紙幣処理装置１）は、複数の項目の設定事項に従って貨幣の処理を行う処理部と、操作者が複数の項目を設定するための設定画面を少なくとも表示する表示部１７と、を備える。表示部は、操作者が設定入力を行う複数の項目が一つの画面に含まれている設定画面Ｄ２を表示すると共に、操作者が設定をした複数の項目の設定事項を一つの設定画面において表示するよう構成されている。【選択図】図３
2019169072.tif 000002
【特許請求の範囲】
【請求項１】
複数の項目の設定事項に従って貨幣の処理を行う処理部と、
操作者が前記複数の項目を設定するための設定画面を少なくとも表示する表示部と、を備え、
前記表示部は、前記操作者が設定入力を行う前記複数の項目が一つの画面に含まれている前記設定画面を表示すると共に、前記操作者が設定をした前記複数の項目の設定事項を一つの前記設定画面において表示するよう構成されている貨幣処理装置。
【請求項２】
前記表示部は、前記設定画面において、前記複数の項目のそれぞれについて、前記操作者が選択可能な事項の選択肢を表示する請求項１に記載の貨幣処理装置。
【請求項３】
前記表示部は、前記設定画面において、いずれかの項目が設定入力されることに伴い、他の項目の選択肢を変更する請求項２に記載の貨幣処理装置。
【請求項４】
前記処理部は、前記操作者の操作に従い、複数の処理モードを切り替えて実行し、
前記表示部は、前記操作者が前記処理モードの選択操作を行うと、前記設定画面に含まれている複数の項目を、選択された前記処理モードに対応する項目に変更して表示する請求項１〜３のいずれか１項に記載の貨幣処理装置。
【請求項５】
前記表示部は、前記設定画面において、前記処理モードを切り替えるための切替ボタンを表示する請求項４に記載の貨幣処理装置。
【請求項６】
前記表示部は、前記処理部が貨幣の処理を実行しているときには、処理状況を前記操作者に提示するための処理画面を表示する請求項１〜５のいずれか１項に記載の貨幣処理装置。
【請求項７】
前記表示部は、前記処理画面において、前記設定画面へ移行するための移行ボタンを表示する請求項６に記載の貨幣処理装置。
【請求項８】
前記表示部は、前記設定画面において、前記複数の項目の少なくとも一つの事項を設定した上で、前記処理画面へ移行する第一移行ボタンと、前記項目の設定を行わずに、前記処理画面へ移行する第二移行ボタンとを表示する請求項６又は７に記載の貨幣処理装置。
【請求項９】
前記複数の項目が予め設定された登録パターンを記憶する記憶部を備え、
前記処理部は、前記操作者の操作によって、前記記憶部に記憶されている前記登録パターンに従って前記貨幣の処理を行い、
前記表示部は、前記処理画面において、前記登録パターンに従って前記貨幣の処理を行うときの第二の処理画面へ移行するためのボタンを表示する請求項６〜８のいずれか１項に記載の貨幣処理装置。
【請求項１０】
前記表示部は、前記第二の処理画面において、前記登録パターンに係る設定事項を前記操作者に提示する確認画面へ移行するためのボタンを表示する請求項９に記載の貨幣処理装置。
【請求項１１】
前記記憶部は、複数の登録パターンを記憶しており、
前記表示部は、前記第二の処理画面において、前記登録パターンを選択するボタンを表示する請求項９又は１０に記載の貨幣処理装置。
【発明の詳細な説明】
【技術分野】
【０００１】
ここに開示する技術は、貨幣処理装置に関する。
【背景技術】
【０００２】
特許文献１には、紙幣整理機が記載されている。紙幣整理機は、紙幣を種類別に区分して所定枚数で結束する帯封モードと、紙幣を種類別に所定枚数で区分するバッチモードとを切り替えて、紙幣の処理を行う。
【先行技術文献】
【特許文献】
【０００３】
【特許文献１】特許第４９４９４１４号公報
【発明の概要】
【発明が解決しようとする課題】
【０００４】
特許文献１に記載されているような紙幣整理機において、帯封モード又はバッチモードにより紙幣の処理を行うときに、操作者は、複数の項目を設定しなければならない。具体的に、帯封モードであれば、帯封対象の紙幣の、（１）金種（万円札、５千円札、２千円札、又は、千円札）、（２）券種（正券、損券、正損分類、又は、正損混合）、（３）刷種（現行券、旧券、又は、現旧分類）、及び、（４）帯封対象外の紙幣の分類（正損分類、正損混合、又は、現旧分類）等の項目の設定が必要である。また、バッチモードであれば、バッチ対象の紙幣の、（１）金種（万円札、５千円札、２千円札、又は、千円札、オート）、（２）券種（正券のみ、又は、指定なし）、（３）刷種（現行券、又は、旧券）、及び、（４）バッチ枚数等の項目の設定が必要である。
【０００５】
特許文献１の図２に描かれているように、従来の紙幣整理機においては、前述した複数の項目のそれぞれに対応する複数の選択ボタンが設けられた設定画面が、表示部に表示され、操作者がいずれかの選択ボタンを選択する操作を行うと、当該項目を設定入力するための新たな設定画面が、表示部に表示されるよう構成されていた。操作者が複数の項目の設定入力をしようとすると、先ず、いずれかの選択ボタンを選択する操作を行って当該項目の設定画面を表示させた上で、設定入力し、元の設定画面に戻った後、次の選択ボタンを選択する操作を行って当該項目の設定画面を表示させた上で、設定入力しなければならなかった。このように従来の紙幣整理機では、複数の項目を設定入力しようとすると、項目の一つ一つについて、個別の設定画面を順々に表示させて設定入力を行わなければならず、操作者の操作が煩雑であった。
【０００６】
また、紙幣整理機が行う紙幣の処理は、複数の項目の設定事項の組み合わせに従って行われるが、前述したように、複数の項目の設定事項のそれぞれは、個別の設定画面においてのみ表示されるため、操作者は、複数の項目の設定事項が、どのように組み合わされているかがわかりにくかった。
【０００７】
ここに開示する技術はかかる点に鑑みてなされたものであり、その目的とするところは、複数の項目の設定事項に従って貨幣の処理を行う貨幣処理装置において、操作者が、複数の項目について設定入力を行うことを容易にする共に、複数の項目の設定事項の確認を容易にすることにある。
【課題を解決するための手段】
【０００８】
具体的に、ここに開示する技術は貨幣処理装置に係る。この貨幣処理装置は、複数の項目の設定事項に従って貨幣の処理を行う処理部と、操作者が前記複数の項目を設定するための設定画面を少なくとも表示する表示部と、を備える。
【０００９】
そして、前記表示部は、前記操作者が設定入力を行う前記複数の項目が一つの画面に含まれている前記設定画面を表示すると共に、前記操作者が設定をした前記複数の項目の設定事項を一つの前記設定画面において表示するよう構成されている。
【００１０】
この構成によると、貨幣処理装置の処理部は、複数の項目の設定事項に従って貨幣の処理を行う。
【００１１】
表示部は、設定画面を表示する。設定画面は、操作者が設定入力を行うべき複数の項目が一つの画面に含まれている。操作者は、当該設定画面に含まれている各項目について設定入力を行うと、貨幣の処理に必要な設定を行うことができる。項目の一つ一つについて、個別の設定画面を順々に表示させて設定入力を行う従来の紙幣整理機とは異なり、操作者の設定入力が容易になる。操作者の入力ミスも低減する。
【００１２】
表示部はまた、操作者が設定をした複数の項目の設定事項を設定画面において表示する。複数の項目の設定事項が一つの画面に含まれているため、操作者は、実行しようとする貨幣の処理について、複数の項目の設定事項が、どのように組み合わされているかを、容易に確認することができる。
【００１３】
前記表示部は、前記設定画面において、前記複数の項目のそれぞれについて、前記操作者が選択可能な事項の選択肢を表示する、としてもよい。
【００１４】
こうすることで、操作者は、設定画面に表示されている選択肢から、所望の選択肢を選択することだけで、項目の設定が可能になる。操作者の設定入力がさらに容易になる。
【００１５】
前記表示部は、前記設定画面において、いずれかの項目が設定入力されることに伴い、他の項目の選択肢を変更する、としてもよい。
【００１６】
複数の項目は互いに関連していて、いずれかの項目を設定入力すれば、それに伴い、他の項目の選択肢が変わる場合がある。その場合に、設定画面において他の項目の選択肢を変更すれば、操作者に対して選択可能な選択肢のみを、提示することができる。操作者の設定入力が容易になると共に、設定ミスを防止することができる。
【００１７】
前記処理部は、前記操作者の操作に従い、複数の処理モードを切り替えて実行し、前記表示部は、前記操作者が前記処理モードの選択操作を行うと、前記設定画面に含まれている複数の項目を、選択された前記処理モードに対応する項目に変更して表示する、としてもよい。
【００１８】
処理モードが異なると、設定すべき項目も変わるが、複数の処理モードのそれぞれにおいて、設定画面に含まれる複数の項目を変更することにより、操作者は、各処理モードについて、複数の項目を、適切に設定することができる。
【００１９】
前記表示部は、前記設定画面において、前記処理モードを切り替えるための切替ボタンを表示する、としてもよい。
【００２０】
こうすることで、操作者が切替ボタンを操作して所望の処理モードに選択をすると、表示部は、当該処理モードに対応する設定画面を表示するから、操作者は、実行しようとする処理モードについて、複数の項目の設定事項を確認することができる。尚、処理モードを切り替えたときに表示される設定画面には、デフォルトの設定事項を表示してもよいし、前回行った処理時の設定事項を表示してもよい。
【００２１】
前記表示部は、前記処理部が貨幣の処理を実行しているときには、処理状況を前記操作者に提示するための処理画面を表示する、としてもよい。
【００２２】
こうすることで操作者は、処理状況を確認することができる。
【００２３】
前記表示部は、前記処理画面において、前記設定画面へ移行するための移行ボタンを表示する、としてもよい。
【００２４】
こうすることで操作者は、処理画面から設定画面へと容易に移行することができて、当該処理モードにかかる複数の項目の設定事項を、容易に確認することができる。
【００２５】
前記表示部は、前記設定画面において、前記複数の項目の少なくとも一つの事項を設定した上で、前記処理画面へ移行する第一移行ボタンと、前記項目の設定を行わずに、前記処理画面へ移行する第二移行ボタンとを表示する、としてもよい。
【００２６】
操作者が設定画面を、表示部に表示させたときには、いずれかの項目の設定（又は変更）を行いたい場合と、複数の項目の設定事項を確認したい場合と、の二通りが考えられる。設定画面から処理画面へと移行するボタンとして、複数の項目の少なくとも一つの事項を設定した上で、処理画面へ移行する第一移行ボタンと、項目の設定を行わずに、処理画面へ移行する第二移行ボタンとの二通りのボタンを設けることにより、いずれかの項目の設定（又は変更）を行いたい操作者は、第一移行ボタンを選択し、複数の項目の設定事項を確認したいだけの操作者は、第二移行ボタンを選択する。貨幣処理装置の使い勝手が向上する。
【００２７】
前記貨幣処理装置は、前記複数の項目が予め設定された登録パターンを記憶する記憶部を備え、前記処理部は、前記操作者の操作によって、前記記憶部に記憶されている前記登録パターンに従って前記貨幣の処理を行い、前記表示部は、前記処理画面において、前記登録パターンに従って前記貨幣の処理を行うときの第二の処理画面へ移行するためのボタンを表示する、としてもよい。
【００２８】
複数の項目が予め設定された登録パターンを記憶部に記憶しておくことで、操作者は、貨幣の処理を行う度に、複数の項目の設定入力を行う必要がなくなる。操作者の操作が煩雑にならず、貨幣処理装置の使い勝手が向上する。
【００２９】
前記表示部は、前記第二の処理画面において、前記登録パターンに係る設定事項を前記操作者に提示する確認画面へ移行するためのボタンを表示する、としてもよい。
【００３０】
第二の処理画面から確認画面へと移行するボタンを設けることにより、操作者は、登録パターンにおいて設定されている複数の項目の設定事項を、容易に確認することができる。尚、確認画面も、設定画面と同様に、複数の項目の設定事項を一つの画面において表示するようにしてもよい。こうすることで、操作者は、複数の項目の設定事項の組み合わせを容易に確認することができる。
【００３１】
前記記憶部は、複数の登録パターンを記憶しており、前記表示部は、前記第二の処理画面において、前記登録パターンを選択するボタンを表示する、としてもよい。
【００３２】
こうすることで、操作者は、第二の処理画面において、複数の登録パターンから、所望の登録パターンを容易に選択することができる。
【発明の効果】
【００３３】
以上説明したように、前記の貨幣処理装置によると、操作者が、複数の項目について設定入力を行うことを容易にする共に、複数の項目の設定事項の確認を容易にすることができる。
【図面の簡単な説明】
【００３４】
【図１】図１は、紙幣処理装置の外観を例示する斜視図である。
【図２】図２は、紙幣処理装置の内部構成を例示する図である。
【図３】図３は、帯封モードにおいて表示部に表示される計数画面（左図）と、設定画面（右図）とを例示する図である。
【図４】図４は、バッチモードにおいて表示部に表示される計数画面（左図）と、設定画面（右図）とを例示する図である。
【図５】図５は、入金モードにおいて表示部に表示される計数画面（左図）と、設定画面（右図）とを例示する図である。
【図６】図６は、登録パターンによる運用モードにおいて表示部に表示される計数画面（左上図及び左下図）と、確認画面（右上図）とを例示する図である。
【図７】図７は、パターンの登録を行うときに表示部に表示される初期画面（左）と、設定画面（右上、右中、右下図）とを例示する図である。
【図８】図８は、計数画面において、汚損レベルの確認画面を表示した状態（左図）と、汚損レベルを調整する状態（右図）とを例示する図である。
【図９】図９は、汚損検知パターンの設定を行うときに表示部に表示される初期画面（上図）と、設定画面（下図）とを例示する図である。
【図１０】図１０は、紙幣処理システムの構成例を示す図である。
【発明を実施するための形態】
【００３５】
以下、貨幣処理装置の実施形態を図面に基づいて詳細に説明する。以下の説明は、貨幣処理装置の一例である。図１は、貨幣処理装置としての紙幣処理装置１の外観を示している。図２は、紙幣処理装置１の内部の構成を示している。紙幣処理装置１は、紙幣を識別及び計数し、種類別に分類をした上で、所定枚数毎の帯封紙幣を作成したり（帯封モード）、紙幣を所定枚数毎に区分したり（バッチモード）、紙幣の計数を行ったり（入金モード）する装置である。紙幣処理装置１は、紙幣整理機とも呼ばれる。尚、以下の説明においては、便宜上、図１における紙面左手前を前、紙面右奥を後と呼ぶ場合がある。これに従うと、「前」は、図２における紙面左、「後」は、図２における紙面右である。
【００３６】
（紙幣処理装置の構成）
紙幣処理装置１には、バラ紙幣を集積する第１外部集積部１１及び第２外部集積部１２と、バラ紙幣が投入される投入部１３、リジェクト券を集積するリジェクト部１４、帯封された紙幣を出金するための投出部１５、及び、後述する端数紙幣を返却する返却部１６がそれぞれ設けられている。
【００３７】
投入部１３は、筐体１０の前面の上部に設けられている。投入部１３の前面は筐体１０の外部に開口している。操作者は投入部１３の内部にバラ紙幣を投入することができる。投入部１３は、複数枚の紙幣を、集積した状態で保持することができる。投入部１３には、例えば、様々な金種を含む紙幣が投入される。投入部１３は、保持している紙幣を、繰り出しローラ１３１によって一枚一枚、筐体１０の内部へ繰り出す。
【００３８】
第１外部集積部１１及び第２外部集積部１２は、紙幣処理装置１の筐体１０の上部に、前後に並んで設けられている。第１外部集積部１１は、第２外部集積部１２よりも後側に配設されている。第１外部集積部１１及び第２外部集積部１２はそれぞれ、紙幣の取出口が筐体１０の外部に開口している。第１外部集積部１１及び第２外部集積部１２はそれぞれ、複数枚の紙幣を集積することができる。操作者は、第１外部集積部１１及び第２外部集積部１２に集積されている紙幣を、手で取り出すことができる。
【００３９】
リジェクト部１４は  筐体１０の前面において、投入部１３の下側に設けられている。リジェクト部１４の前面は筐体１０の外部に開口している。リジェクト部１４は、複数枚の紙幣を集積することができる。操作者は、リジェクト部１４に集積されている紙幣を、手で取り出すことができる。
【００４０】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００４１】
返却部１６は、筐体１０の上部に設けられている。返却部１６は、紙幣が載るトレイ１６１を有している。トレイ１６１は、図２に実線及び一点鎖線で示すように、前後方向に移動する。紙幣を載せたトレイ１６１が、一点鎖線に示すように前進すると、操作者は、トレイ１６１から紙幣を、手で取り出すことができる。
【００４２】
紙幣処理装置１の上部には、表示部１７が設けられている。表示部１７は、返却部１６の上側に配設されている。表示部１７は、タッチパネルからなる。表示部１７は、操作者が操作を行うための操作部を兼用する。表示部１７は、紙幣処理装置１が処理を行っているときには、紙幣の処理状況等の情報を含んだ処理画面（計数画面）を表示する。表示部１７はまた、紙幣の処理に関する複数の項目を、操作者が設定入力するための設定画面を、表示する。
【００４３】
図２に示すように、紙幣処理装置１は、筐体１０の内部に、識別部１８、第１反転部２１、第２反転部２２、搬送部３、第１〜第５集積部５１〜５５、運搬部６、帯封部７、制御部４１、及び記憶部４２を備えている。
【００４４】
搬送部３は、紙幣の搬送方向の順に、投入部１３から、識別部１８、第１反転部２１、リジェクト部１４、第２反転部２２、第１〜第５集積部５１〜５５、第１外部集積部１１及び第２外部集積部１２までの間において、バラ紙幣の搬送を行う。搬送部３は、筐体１０の内部に配設された搬送路を有している。搬送路は、詳細な図示は省略するが、多数のローラ、複数のベルト、これらを駆動するモータ、搬送される紙幣を検出する通過センサ及び複数のガイドの組み合わせによって構成されている。搬送部３は、所定の間隔を設けて、紙幣を一枚一枚、搬送路に沿って搬送する。
【００４５】
識別部１８は、紙幣ＢＮの搬送方向について、投入部１３の下流に設けられている。識別部１８は、搬送路に沿って搬送される紙幣ＢＮの金種、真偽、表裏、向き、正損、新旧、搬送状態等を識別する。
【００４６】
第１反転部２１は、識別部１８の識別結果に応じて、紙幣ＢＮの表裏及び天地方向の両方を、選択的に反転するよう構成されている。第１反転部２１は、詳細な図示は省略するが、紙幣ＢＮの表裏及び天地方向を反転させるスイッチバック方式の反転パスと、紙幣ＢＮの表裏及び天地方向を反転することなく通過させるバイパスと、紙幣ＢＮを、反転パス又はバイパスに選択的に送る分岐爪と、を有している。
【００４７】
制御部４１は、識別部１８の識別結果に応じて第１反転部２１の分岐爪を動かす。このことによって、表裏及び天地方向の向きを反転する必要がある紙幣ＢＮは、反転パスを通過し、表裏及び天地方向の向きを反転する必要がない紙幣ＢＮは、バイパスを通過する。反転パスを通過した紙幣ＢＮは、表裏及び天地方向の向きが反転する。バイパスを通過した紙幣ＢＮは、表裏も天地方向の向きも反転しない。第１反転部２１を通過した紙幣ＢＮは、少なくとも表裏が揃っている。
【００４８】
第１反転部２１の前側には、リジェクト部１４が配設されている。リジェクト部１４につながる搬送路１４１は、紙幣ＢＮの搬送方向について第１反転部２１の下流から分岐している。第１反転部２１は、紙幣ＢＮを、バイパス又はリジェクト部１４に選択的に送る分岐爪を有している。制御部４１は、識別部１８の識別結果に応じて、分岐爪を動かす。このことによって、リジェクト券と識別された紙幣ＢＮは、実質的には第１反転部２１を通らないで、リジェクト部１４に搬送される。
【００４９】
第２反転部２２は、紙幣ＢＮの搬送幅方向の向きを、選択的に反転するよう構成されている。第２反転部２２は、詳細な図示は省略するが、紙幣ＢＮの搬送幅方向の向きを反転させる反転パスと、紙幣ＢＮの搬送幅方向の向きを反転することなく通過させるバイパスと、紙幣ＢＮを、反転パス又はバイパスに選択的に送る分岐爪と、を有している。反転パスには、紙幣ＢＮを反転する反転機構が配設されている。反転機構２２４は、例えば紙幣ＢＮの搬送幅方向の向きと表裏との両方を反転するよう構成してもよい。
【００５０】
制御部４１は、識別部１８の識別結果に応じて、分岐爪を動かす。このことによって、左右方向の向きを反転する必要がある紙幣ＢＮは、反転パスを通過し、左右方向の向きを反転する必要がない紙幣ＢＮは、バイパスを通過する。反転パスを通過した紙幣は、紙幣ＢＮの左右方向の向き及び表裏が反転する。バイパスを通過した紙幣は、紙幣ＢＮの左右方向の向きも、表裏も反転しない。反転機構の下流において、反転パスとバイパスとは合流する。この紙幣処理装置１は、反転部として、第１反転部２１と第２反転部２２との二種類の反転部を備えることにより、第１反転部２１及び第２反転部２２を通過した紙幣ＢＮの表裏及び天地方向の向きの両方を揃えることができる。
【００５１】
第１〜第５集積部５１〜５５は、識別部１８、第１反転部２１及び第２反転部２２の後側に配設されている。第１〜第５集積部５１〜５５は、上下方向に並んで配設されている。第１〜第５集積部５１〜５５は、帯封対象の紙幣ＢＮを、例えば金種毎に集積する。後述するように、操作者は、第１〜第５集積部５１〜５５に集積する紙幣の種類を、予め設定することができる。
【００５２】
第２反転部２２の下流において紙幣ＢＮを搬送する搬送路は、第１〜第５集積部５１〜５５の前側でかつ、識別部１８、第１反転部２１及び第２反転部２２の後側において、第１〜第５集積部５１〜５５に沿うように上下方向に伸びて配設されている。上下方向に伸びる搬送路から分岐した五つの分岐路が、第１〜第５集積部５１〜５５のそれぞれに接続されている。紙幣ＢＮは、第１〜第５集積部５１〜５５のそれぞれに対し、前側から投入される。投入された紙幣ＢＮは、第１〜第５集積部５１〜５５のそれぞれにおいて集積される。
【００５３】
図示は省略するが、各分岐路の分岐箇所には、紙幣ＢＮの搬送方向を切り替える分岐爪が設けられている。制御部４１は、識別部１８の識別結果に応じて、各分岐爪を動かす。このことによって、紙幣ＢＮは、第１〜第５集積部５１〜５５に、選択的に投入される。
【００５４】
上下方向に伸びる搬送路の下流側は、途中で二つに分岐して、第１外部集積部１１及び第２外部集積部１２のそれぞれに接続されている。第１外部集積部１１及び第２外部集積部１２は、第２反転部２２の下流につながっている。分岐箇所には、図示は省略するが、分岐爪が配設されている。制御部４１は、識別部１８の識別結果に応じて、分岐爪を動かすことにより、紙幣ＢＮは、第１外部集積部１１及び第２外部集積部１２に、選択的に投入される。
【００５５】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動をする。アーム部６１は、第１〜第５集積部５１〜５５それぞれの高さ位置に位置づけられ、第１〜第５集積部５１〜５５に集積されている紙幣を、後方に向かって取り出す。
【００５６】
帯封部７は、第２反転部２２の下側に配設されている。帯封部７は、運搬部６の下端部に位置している。運搬部６は、第１〜第５集積部５１〜５５から取り出した紙幣ＢＮを、帯封部７に運搬する。帯封部７の構成の詳細な図示は省略するが、帯封部７は、公知の様々な構成を採用することができる。帯封部７は、例えば紙幣ＢＮの束の外周囲に帯封紙を巻き付けることによって帯封を行うようにしてもよい。帯封部７はまた、帯封紙によって形成した輪の中に紙幣ＢＮの束を挿入することによって帯封を行うようにしてもよい。
【００５７】
帯封部７は、帯封紙に情報を印す印字部７１を有している。印字部７１は、帯封紙に印刷を行う印刷部、及び、帯封紙にスタンプを押す押印部の両方、又は、いずれか一方を含んでいる。印字部７１は、帯封をする前、又は、帯封をした後に、帯封紙に情報を印す。印字部７１は、帯封を行った日時の情報や、帯封処理を行った操作者を特定する情報等を、帯封紙に印す。また、印字部７１は、例えば帯封紙幣を作成した金融機関名の情報、及び、帯封紙幣が損券である旨の情報を、帯封紙に印す。
【００５８】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００５９】
後述するように紙幣処理装置１が分類処理を行った際、帯封枚数に至らずに第１〜第５集積部５１〜５５に紙幣ＢＮが残ってしまう場合がある。運搬部６は、第１〜第５集積部５１〜５５に残った端数紙幣を返却部１６へ運搬する。
【００６０】
制御部４１は、図示は省略するが、第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７が、信号の授受可能に接続されている。記憶部４２には、各種の情報やプログラムが記憶されている。制御部４１は、前述した第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７に、記憶部４２が記憶している各種の情報やプログラムに基づいて制御信号を出力する。このことにより、紙幣処理装置１は、紙幣ＢＮを識別及び計数し、種類別に分類をする処理を行う。
【００６１】
記憶部４２は、後述するように、表示部１７に表示をする設定画面や、計数画面に関する情報、及び、帯封モード、バッチモード及び入金モードにおいて設定が必要な複数の項目について予め設定をした登録パターンの情報等を記憶している。
【００６２】
（紙幣処理装置の表示部に表示される画面）
前述したように、紙幣処理装置１は、処理モード（運用モード）として、帯封モード、バッチモード及び入金モードの三つのモードを有し、それぞれのモードにおいて紙幣の処理を行う。ここで、各モードにおける紙幣の処理について簡単に説明をする。先ず、帯封モードでは、投入部１３に投入された紙幣について、操作者によって指定された紙幣を結束した帯封紙幣を作成する。作成された帯封紙幣は、投出部１５から投出される。帯封モードにおいては、指定外の紙幣の一部についても、第１外部集積部１１及び／又は第２外部集積部１２を利用することによって、分類することができる。帯封対象に指定された紙幣、及び、第１外部集積部１１又は第２外部集積部１２に集積される紙幣以外の紙幣は、リジェクト部１４に集積される。
【００６３】
バッチモードは、投入部１３に投入された紙幣について、操作者によって指定された紙幣を、所定枚数に区分する。指定された紙幣は、第１外部集積部１１及び第２外部集積部１２に交互に集積される。指定外の紙幣は、リジェクト部１４に集積される。
【００６４】
入金モードは、投入部１３に投入された紙幣の計数を行うが、入金モードにおいては、いずれか一の金種を指定することにより、当該金種の紙幣を、第１外部集積部１１に集積することができる。指定外の紙幣は、第２外部集積部１２に集積される。
【００６５】
（帯封モードにおける画面構成）
図３は、帯封モードにおいて表示部１７に表示される計数画面Ｄ１と、設定画面Ｄ２とを例示している。前述したように、計数画面Ｄ１は、紙幣処理装置１が帯封モードで紙幣の処理を行っているときに表示部１７に表示される画面である。計数画面Ｄ１は、処理の進捗状況を操作者に提示する。設定画面Ｄ２は、帯封モードの実行に際し、操作者が設定すべき項目の設定入力を行うための画面である。
【００６６】
設定画面Ｄ２は、帯封モードにおいて操作者が設定しなければならない複数の項目の全てを含んでいる。具体的には、（１）帯封対象の「金種」、（２）帯封対象の「券種」、（３）帯封対象の「刷種」、及び、（４）第１外部集積部１１及び第２外部集積部１２に集積をする、帯封対象外の紙幣の分類ルール（「スタッカ」）。を含んでいる。
【００６７】
これらの項目のそれぞれについて、設定画面Ｄ２は、選択肢を表示している。具体的に、金種の項目には、「万（円札）」「５千（円札）」「２千（円札）」「千（円札）」の四つの選択肢が表示されており、操作者は、これらの選択肢から、帯封対象の金種として、少なくとも一つの金種を選択する。選択をすると、チェックが付される。帯封モードにおいては、複数の金種の選択が可能に構成されている。
【００６８】
また、券種の項目には、「正券」「損券」「正損分類」（正券の帯封券及び損券の帯封紙幣をそれぞれ作成すること）、又は、「正損混合」（正券及び損券が混合されている帯封紙幣を作成すること）の四つの選択肢が表示されている。操作者は、これらの選択肢からいずれか一つの券種を選択する。選択をすると色が変わる。設定画面Ｄ２において、券種は、金種とは異なり複数の選択肢を選択することができないよう構成されている。こうすることで、操作者の操作ミスを防止することができる。
【００６９】
また、券種の設定に関連して、設定画面Ｄ２には、作成した帯封紙幣の帯に、損券を含むことを示す「損スタンプ」を付けるか否かを設定するチェックボックスが設けられている。操作者がチェックを付すと、帯に損スタンプが付く。ここで、操作者が、券種として「正券」を選択したときには、損券を含む帯封紙幣が作成されないため、「損スタンプ」を付けることがなくなる。設定画面Ｄ２においては、図示は省略するが、操作者が、券種として「正券」を選択したときに、損スタンプのチェックボックスが無効になるよう構成されている。このように、設定画面Ｄ２においては、複数の項目の内のいずれかの項目を設定したことに伴い、他の項目の選択肢が変更されるよう構成されている。こうすることで、操作者の設定ミスを防止して、操作者は、複数の項目のそれぞれを適切に設定することができる。
【００７０】
また、設定画面Ｄ２において刷種の項目には、「現行券」「旧券」「現旧分類」の三つの選択肢が表示されている。操作者は、これらの選択肢から少なくとも一の刷種を選択する。選択をすると、チェックが付される。
【００７１】
また、第１外部集積部１１及び第２外部集積部１２に集積をする紙幣を設定するスタッカの項目には、「正損分類」「正損混合」「現旧分類」の三つの選択肢が表示されている。操作者は、これらの選択肢からいずれか一つを選択する。選択をすると色が変わる。設定画面Ｄ２の下部には、第１外部集積部１１及び第２外部集積部１２に集積される紙幣の情報を表示しており、操作者がスタッカの項目の選択を行うことに対応して、この箇所の表示が変更される。図３の例では、第１外部集積部１１（ＳＴ１）には、帯封対象外の金種かつ、旧券の紙幣が、正損混合で集積され（「混合  旧」）、第２外部集積部１２（ＳＴ２）には、帯封対象外の金種かつ、現行券の紙幣が、正損混合で集積される（「混合  現」）。
【００７２】
設定画面Ｄ２においては複数の項目が表示されているが、操作者が各項目を設定したときには、当該設定画面Ｄ２において、設定事項が表示されるよう構成されている（つまり、チェックボックスのチェックの有無や、選択した選択肢の色が変わる）。これにより、操作者は、設定画面Ｄ２を見ると、複数の項目の設定事項の組み合わせを確認することができる。設定画面Ｄ２は、操作者が設定入力を行う複数の項目が一つの画面に含まれていると同時に、操作者が設定をした複数の項目の設定事項を一つの画面において表示する画面である。この構成により、操作者の設定入力が容易になると共に、操作者の入力ミスも低減する。
【００７３】
帯封モードに係る設定画面Ｄ２にはまた、イラスト化した帯封紙幣が表示されている。操作者は、帯封モードであることを認識しやすくなり、操作者の入力ミスを抑制することができる。
【００７４】
設定画面Ｄ２において、各項目について設定入力を行った上で、「変更」ボタンを選択すると、各項目について設定事項が反映されると共に、表示部１７には、計数画面Ｄ１が表示される。計数画面Ｄ１に表示される内容は、設定画面Ｄ２において設定入力された、複数の項目の設定事項に従い変更される（つまり、帯封対象の金種、券種、刷種の情報、及び、第１外部集積部１１及び第２外部集積部１２に集積される紙幣の情報）。
【００７５】
計数画面Ｄ１はまた、カウンターを有しており、紙幣処理装置１が紙幣の処理を実行することに伴い、計数結果に応じて、計数画面Ｄ１のカウンターがカウントアップする。
【００７６】
計数画面Ｄ１には、その上部中央に、帯封紙幣のイラストと共に、「帯封」の文字を有するボタンが表示されており、操作者に対して、紙幣処理装置１の運用モードが帯封モードであることがわかり易く示されている。また、操作者がこのボタンを選択する操作を行うと、表示部１７には、計数画面Ｄ１に代わって、設定画面Ｄ２が表示される。前述したように、設定画面Ｄ２には、複数の項目の設定事項が表示されているため、操作者は、随時、複数の項目の設定事項の組み合わせを確認することができる。また、設定画面Ｄ２には、前述した「変更」ボタンとは異なる「戻る」ボタンが設けられている。操作者が「戻る」ボタンを選択操作すると、（各項目の設定入力を行っていたとしても）各項目について設定事項が反映されないで、計数画面Ｄ１に移行することができる。設定画面Ｄ２に、第二移行ボタンとしての「戻る」ボタンを設けているため、複数の項目について設定入力を行わないで、複数の項目の設定事項の確認だけを行うことができるよう構成されている。操作者の利便性を向上させることができる。
【００７７】
設定画面Ｄ２には、その上部に、「帯封」「バッチ」「入金」の三つのタブボタンが設けられている。帯封のタブボタンには帯封紙幣のイラストが、バッチのタブボタンには集積された紙幣に「枚数」の文字が付されたイラストが、入金のタブボタンには集積された紙幣のイラストがそれぞれ描かれており、操作者に対して各モードの機能が認識されやすいように構成されている。
【００７８】
設定画面Ｄ２は、帯封モードの設定画面であるため、「帯封」のタブボタンが選択されている（タブの色が変わっている）。操作者が「バッチ」のタブボタンを選択する操作を行うと、紙幣処理装置１は、帯封モードからバッチモードに切り替わる。操作者が「入金」のタブボタンを選択する操作を行うと、紙幣処理装置１は、帯封モードから入金モードに切り替わる。このように、設定画面Ｄ２には、紙幣処理装置１の運用モードを切り替える切り替えボタンが表示されている。
【００７９】
（バッチモードにおける画面構成）
図４は、バッチモードにおいて表示部１７に表示される計数画面Ｄ３と、設定画面Ｄ４とを例示している。計数画面Ｄ３は、紙幣処理装置１がバッチモードで紙幣の処理を行っているときに表示部１７に表示される画面であり、計数画面Ｄ３は、処理の進捗状況を操作者に提示する。設定画面Ｄ４は、バッチモードの実行に際し、操作者が設定すべき項目の設定入力を行うための画面である。
【００８０】
設定画面Ｄ４は、設定画面Ｄ２と同様に、前述した「帯封」「バッチ」「入金」の三つのタブボタンを有している。設定画面Ｄ４においては、「バッチ」のタブボタンが選択されている。操作者が「帯封」のタブボタンを選択する操作を行うと、紙幣処理装置１は、バッチモードから帯封モードに切り替わり、表示部１７には、帯封モードの設定画面Ｄ２が表示される。操作者が「入金」のタブボタンを選択する操作を行うと、紙幣処理装置１は、バッチモードから入金モードに切り替わる。このように、設定画面Ｄ４にも、紙幣処理装置１の運用モードを切り替える切り替えボタンが表示されている。
【００８１】
設定画面Ｄ４は、バッチモードにおいて操作者が設定しなければならない複数の項目の全てを含んでいる。但し、設定画面Ｄ４に含まれる複数の項目と、設定画面Ｄ２に含まれる複数の項目とは相違する。設定画面Ｄ２、Ｄ４は、操作者が運用モードの選択操作を行うと、設定画面に含まれる複数の項目を、選択された運用モードに対応する項目に変更して表示することに相当する。
【００８２】
具体的に設定画面Ｄ４は、（１）バッチ対象の「金種」、（２）バッチ枚数、（３）バッチ対象の「刷種」、及び、（４）「正券のみ」のチェックボックスを含んでいる。
【００８３】
これらの項目のそれぞれについて、設定画面Ｄ４は、選択肢を表示している。具体的に、金種の項目には、「万（円札）」「５千（円札）」「２千（円札）」「千（円札）」「オート」の五つの選択肢が表示されている。このうち「オート」は、投入部１３から繰り出された最初の紙幣の金種を、バッチ対象の金種にする設定である。尚、「オート」は、帯封モードにおいては、金種の項目の選択肢に含まれていない。操作者は、これらの選択肢からいずれか一つの金種を選択する。選択をすると色が変わる。バッチモードにおいては、帯封モードとは異なり、一つの金種のみ選択が可能である。
【００８４】
また、設定画面Ｄ４において刷種の項目には、「現行券」「旧券」の二つの選択肢が表示されている。操作者は、これらの選択肢から少なくとも一の刷種を選択する。選択をするとチェックが付される。バッチ処理においては、現行券のみのバッチ処理を行うか、旧券のみのバッチ処理を行うか、又は、現行券及び旧券を含むバッチ処理を行うかを選択することなる。「現旧分類」の選択肢がないため、現行券のバッチ処理と、旧券のバッチ処理とを同時に行うことはできない。
【００８５】
設定画面Ｄ４において、バッチ枚数は、操作者が具体的な数字を入力することにより設定される。尚、バッチ枚数の選択肢を設けておいて、操作者がそれらの選択肢のなかから所望のバッチ枚数を選択するようにしてもよい。また、「正券のみ」のチェックボックスにチェックを付したときには、正券についてのバッチ処理が行われ、チェックを付さないときには、正券及び損券を混合した状態でバッチ処理が行われる。
【００８６】
設定画面Ｄ４には、集積紙幣のイラストが表示されており、操作者は、バッチモードであることを認識しやすくなる。また、バッチ枚数の項目は、イラストに付した矢印に対応付けられていて、操作者は、バッチ枚数が、紙幣の枚数の意味であることを理解しやすくなっている。操作者の入力ミスを抑制することができる。
【００８７】
設定画面Ｄ４において、各項目について設定入力を行った上で、「変更」ボタンを選択すると、各項目について設定事項が反映されると共に、表示部１７には、バッチモードの計数画面Ｄ３が表示される。計数画面Ｄ３に表示される内容は、設定画面Ｄ４において設定入力された、複数の項目の設定事項に従い変更される（つまり、バッチ対象の金種、券種、刷種の情報、及び、第１外部集積部１１及び第２外部集積部１２に集積される紙幣の情報）。
【００８８】
また、設定画面Ｄ４において、「戻る」ボタンを選択すると、各項目について設定事項が反映されずに、表示部１７には、バッチモードの計数画面Ｄ３が表示される。
【００８９】
計数画面Ｄ３は、カウンターを有しており、紙幣処理装置１が紙幣の処理を実行することに伴い、計数結果に応じて、計数画面Ｄ３のカウンターがカウントアップする。
【００９０】
計数画面Ｄ３には、その上端中央に、集積紙幣のイラストと共に、「バッチ」の文字を有するボタンが表示されており、操作者に対して、紙幣処理装置１の運用モードがバッチモードであることがわかり易く示されている。また、操作者がこのボタンを選択する操作を行うと、表示部１７には、計数画面Ｄ３に代わって、設定画面Ｄ４が表示される。
【００９１】
（入金モードにおける画面構成）
図５は、入金モードにおいて表示部１７に表示される計数画面Ｄ５と、設定画面Ｄ６とを例示している。計数画面Ｄ５は、紙幣処理装置１が入金モードで紙幣の処理を行っているときに表示部１７に表示される画面であり、設定画面Ｄ６は、処理の進捗状況を操作者に提示する。設定画面Ｄ６は、入金モードの実行に際し、操作者が設定すべき項目の設定入力を行うための画面である。
【００９２】
設定画面Ｄ６は、設定画面Ｄ２、Ｄ４と同様に、前述した「帯封」「バッチ」「入金」の三つのタブボタンを有している。設定画面Ｄ６においては、「入金」のタブボタンが選択されている。設定画面Ｄ６において、操作者が「帯封」のタブボタンを選択する操作を行うと、紙幣処理装置１は、入金モードから帯封モードに切り替わり、表示部１７には、帯封モードの設定画面Ｄ２が表示される。操作者が「バッチ」のタブボタンを選択する操作を行うと、紙幣処理装置１は、入金モードからバッチモードに切り替わる。このように、設定画面Ｄ６にも、紙幣処理装置１の運用モードを切り替える切り替えボタンが表示されている。設定画面Ｄ２、Ｄ４、Ｄ６は、操作者が運用モードの選択操作を行うと、設定画面に含まれる複数の項目が、選択された運用モードに対応する項目に変更することに相当する。
【００９３】
設定画面Ｄ６は、入金モードにおいて操作者が設定しなければならない複数の項目の全てを含んでいる。但し、設定画面Ｄ６に含まれる複数の項目と、設定画面Ｄ２及びＤ４に含まれる複数の項目とは相違する。設定画面Ｄ２、Ｄ４、Ｄ６は、操作者が運用モードの選択操作を行うと、設定画面に含まれる複数の項目を、選択された運用モードに対応する項目に変更して表示することに相当する。
【００９４】
具体的に設定画面Ｄ６は、（１）第１外部集積部１１に集積する紙幣の「金種」、（２）当該紙幣の「刷種」、及び、（３）「正損分ける」のチェックボックスを含んでいる。
【００９５】
これらの項目のそれぞれについて、設定画面Ｄ６は、選択肢を表示している。具体的に、金種の項目には、「万（円札）」「５千（円札）」「２千（円札）」「千（円札）」「混合」の五つの選択肢が表示されている。このうち「混合」は、第１外部集積部１１に集積する紙幣の金種を問わない選択肢である。「混合」は、帯封モードにおいても、バッチモードにおいても選択肢に含まれていない。操作者は、これらの選択肢からいずれか一つの選択肢を選択する。選択すると色が変わる。尚、選択されなかった金種の紙幣は、第２外部集積部１２に集積される。
【００９６】
また、設定画面Ｄ６において刷種の項目には、「現行券」「旧券」「現旧分類」の三つの選択肢が表示されている。操作者は、これらの選択肢から少なくとも一の刷種を選択する。選択するとチェックが付される。尚、「現旧分類」を選択したときには、現行券が第１外部集積部１１に集積され、旧券が第２外部集積部１２に集積される。
【００９７】
設定画面Ｄ６において、「正損分ける」のチェックボックスにチェックを付したときには、第１外部集積部１１に正券が集積され、第２外部集積部１２に損券が集積される。ここで、設定画面Ｄ６において、「現旧分類」を選択したときには、「正損分ける」のチェックボックスが無効になり、「正損分ける」のチェックボックスにチェックを付したときには、「現旧分類」の選択肢が無効になる。
【００９８】
設定画面Ｄ６には、設定画面Ｄ４とは異なる態様でイラスト化した集積紙幣が表示されている。操作者は、入金モードであることを認識しやすくなり、操作者の入力ミスを抑制することができる。
【００９９】
設定画面Ｄ６において、各項目について設定入力を行った上で、「変更」ボタンを選択すると、各項目について設定事項が反映されると共に、表示部１７には、入金モードの計数画面Ｄ５が表示される。計数画面Ｄ５に表示される内容は、設定画面Ｄ６６において設定入力された、複数の項目の設定事項に従い変更される（つまり、第１外部集積部１１に集積する対象の金種（三角の矢印が付与される）、刷種の情報、及び、第１外部集積部１１及び第２外部集積部１２に集積される紙幣の情報）。
【０１００】
また、設定画面Ｄ６において、「戻る」ボタンを選択すると、各項目について設定事項が反映されずに、表示部１７には、入金モードの計数画面Ｄ５が表示される。
【０１０１】
計数画面Ｄ５は、カウンターを有しており、紙幣処理装置１が紙幣の処理を実行することに伴い、計数結果に応じて、計数画面Ｄ５のカウンターがカウントアップする。
【０１０２】
計数画面Ｄ５には、その上部中央に、集積紙幣のイラストと共に、「入金」の文字を有するボタンが表示されており、操作者に対して、紙幣処理装置１の運用モードが入金モードであることがわかりやすく示されている。また、操作者がこのボタンを選択する操作を行うと、表示部１７には、計数画面Ｄ５に代わって、設定画面Ｄ６が表示される。
【０１０３】
（登録パターンによる運用モード）
前述したように、帯封モード、バッチモード、及び、入金モードのそれぞれにおいて、操作者は、複数の項目を設定しなければならない。紙幣処理装置１において処理を行う度に、設定画面Ｄ２、Ｄ４、及びＤ６において設定入力を行うことは、煩雑であると共に、設定ミスを招く恐れがある。
【０１０４】
そこで、この紙幣処理装置１においては、複数の項目を設定したパターンを、記憶部４２に記憶させておくことができる（登録パターン）。この紙幣処理装置１において、登録パターンは、最大１０個であるが、登録パターンの最大数は、適宜の数にすればよい。尚、パターンは、帯封モード、バッチモード、及び、入金モードのいずれについても登録をすることが可能である。
【０１０５】
具体的には、帯封モード、バッチモード、及び、入金モードのそれぞれの計数画面Ｄ１、Ｄ３、Ｄ５には、「パターン」ボタンが設けられている。操作者が「パターン」ボタンを選択操作することによって、登録パターンによる運用モードに移行をすることができる。図６の画面Ｄ７及びＤ９は、登録パターンによる運用モードにおける計数画面（つまり、第二の処理画面）を例示している。
【０１０６】
具体的に、計数画面Ｄ７は、第３登録パターンによる運用モード（帯封モード）の計数画面である。計数画面Ｄ７の上部には、「３  帯封」のボタンが表示されており、これが、第３登録パターンでかつ、帯封モードであることを示している。尚、計数画面Ｄ７の構成は、帯封モードにおける計数画面Ｄ１と、実質的に同じである。
【０１０７】
計数画面Ｄ７において「３  帯封」のボタンを選択操作すると、表示部１７には、確認画面Ｄ８が表示される。確認画面Ｄ８は、当該登録パターンに係る複数の項目の設定事項を表示する。操作者は、確認画面Ｄ８において、登録パターンの設定事項を、容易に確認することができる。確認画面Ｄ８において「閉じる」ボタンを選択すると、確認画面Ｄ８が終了して、表示部１７には計数画面Ｄ７が表示される。
【０１０８】
確認画面Ｄ８には、「マニュアル」ボタンが設けられている。操作者が「マニュアル」ボタンを選択操作すると、表示部１７には、設定画面Ｄ２、Ｄ４、又は、Ｄ６が表示される。登録パターンにおけるモードが帯封モードであれば設定画面Ｄ２が表示され、バッチモードであれば設定画面Ｄ４が表示され、入金モードであれば設定画面Ｄ６が表示される。これらの設定画面Ｄ２、Ｄ４、Ｄ６において、操作者は、前述したように、複数の項目の設定入力を行うことができる。つまり、操作者は、登録パターンにおいて設定されている複数の項目の事項を変更した上で、紙幣の処理を行うことができる。
【０１０９】
計数画面Ｄ７にも、「マニュアル」ボタンが設けられている。操作者が「マニュアル」ボタンを選択操作すると、表示部１７には、計数画面Ｄ１、Ｄ３、又は、Ｄ５が表示される。登録パターンにおけるモードが帯封モードであれば計数画面Ｄ１が表示され、バッチモードであれば計数画面Ｄ３が表示され、入金モードであれば計数画面Ｄ５が表示される。
【０１１０】
計数画面Ｄ７にはまた、「３  帯封」のボタンの両側に、矢印（「＜」「＞」）ボタンが設けられている。操作者がこれらの矢印ボタンを選択操作すると、登録パターンが変更される。操作者は、複数の登録パターンから所望の登録パターンを容易に選択することができる。
【０１１１】
例えば計数画面Ｄ９は、第１登録パターンによる運用モード（バッチモード）の計数画面である。尚、計数画面Ｄ９の構成は、バッチモードにおける計数画面Ｄ３と、実質的に同じである。また、計数画面Ｄ９において、「１  バッチ」のボタンを選択すると、図示は省略するが、第１登録パターンの確認画面が、表示部１７に表示される。また、計数画面Ｄ９の「マニュアル」ボタンを選択したときには、計数画面Ｄ７と同様に、計数画面Ｄ１、Ｄ３又はＤ５が表示部１７に表示される（図例の計数画面Ｄ９の場合はバッチモードであるため、計数画面Ｄ３が表示される）。
【０１１２】
（登録パターンの設定）
前述したように、紙幣処理装置１は、複数の登録パターンを設定して、記憶部に記憶することができる。図７は、登録パターンの設定を行うときに表示部１７に表示される初期画面Ｄ１０と、設定画面Ｄ１１、Ｄ１２、Ｄ１３とを例示している。
【０１１３】
初期画面Ｄ１０には、合計１０個のボタンが設けられている。各ボタンは、一つの登録パターンに対応している。各ボタンには、０１〜１０のパターン番号と、登録パターンの設定事項を説明する文言とが記載されている。この文言は、操作者によって適宜設定することができる。これにより、操作者は、各登録パターンの設定事項を知ることができる。
【０１１４】
各ボタンを選択すると、パターンの設定画面Ｄ１１、Ｄ１２、Ｄ１３が、表示部１７に表示される。例えば設定画面Ｄ１１は、第５登録パターンの設定画面であり、設定画面Ｄ１２は、第１登録パターンの設定画面であり、設定画面Ｄ１３は、第２登録パターンの設定画面である。
【０１１５】
設定画面Ｄ１１、Ｄ１２、Ｄ１３には、設定画面Ｄ２、Ｄ４．Ｄ６と同様に、複数の項目が含まれている。具体的には、運用モードを設定する選択肢（帯封、バッチ、及び、入金）が表示されている。操作者は先ず、これらの選択肢の中から所望の選択肢を選択する。設定画面Ｄ１１に示すように、「帯封」を選択したときには、当該設定画面Ｄ１１には、帯封モードにおいて設定が必要となる複数の項目が表示される。具体的には、「金種」「券種」「刷種」「スタッカ」の項目が、表示されている。各項目について、選択肢が設けられている点も、設定画面Ｄ２と同じである。また、各項目において選択をした結果が、チェックが付される、又は、色が変わることによって、当該設定画面Ｄ１１に表示されている。
【０１１６】
設定画面Ｄ１２は、運用モードについて「バッチ」を選択したときの設定画面を例示しており、当該設定画面Ｄ１２には、バッチモードにおいて設定が必要となる、「バッチ枚数」、「金種」及び「刷種」の項目が、表示されている。各項目について、選択肢が設けられている点、及び、各項目において選択をした結果が、当該設定画面Ｄ１２に表示されている点も、設定画面Ｄ４と同じである。
【０１１７】
設定画面Ｄ１３は、運用モードについて「入金」を選択したときの設定画面を例示しており、当該設定画面Ｄ１３には、入金モードにおいて設定が必要となる、「金種」及び「刷種」の項目が、表示されている。各項目について、選択肢が設けられている点、及び、各項目において選択をした結果が、当該設定画面Ｄ１３に表示されている点も、設定画面Ｄ６と同じである。
【０１１８】
設定画面Ｄ１１、Ｄ１２、Ｄ１３において、「登録」を選択すると、各項目について設定事項が反映されて、登録パターンが、記憶部４２に登録される。表示部１７には初期画面Ｄ１０が表示される。設定画面Ｄ１１、Ｄ１２、Ｄ１３において、「戻る」を選択すると、各項目について設定事項が反映されずに、表示部１７には初期画面Ｄ１０が表示される。
【０１１９】
このように、登録パターンの設定画面Ｄ１１、Ｄ１２、Ｄ１３においても、設定入力が必要な複数の項目が一つの画面一つの画面に含まれていると共に、操作者が設定をした複数の項目の設定事項を一つの画面において表示することができる。操作者の設定入力が容易になると共に、操作者の入力ミスも低減する。
【０１２０】
また、設定画面Ｄ２、Ｄ４、Ｄ６と、設定画面Ｄ１１、Ｄ１２、Ｄ１３とは、項目を設定することに関して、互いに類似する操作態様を有しているため、操作者の使い勝手を向上させることができる。
【０１２１】
尚、設定画面Ｄ１１、Ｄ１２、Ｄ１３の右上には、「削除」ボタンが設けられている。「削除」ボタンを選択操作したときには、当該設定画面Ｄ１１、Ｄ１２、Ｄ１３における設定事項が消去されて当該パターン番号の登録パターンが「未登録」になる。
【０１２２】
（正損検知レベルの変更）
紙幣処理装置１における、帯封モード、バッチモード及び入金モードのそれぞれにおいて、紙幣の正損の検知レベルは常に同じではなく、取引先毎に検知レベルを変更することが行われる。
【０１２３】
また、損券の判定項目としては、紙幣の厚みに関する「厚損」、紙幣の欠けに関する「欠損」、紙幣の汚れに関する「汚損」の大きく三つがあり、このうち、汚損についてはさらに、「油しみ」「落書き」「しわ」「折れくせ」「テープ」「破れ」の六つの項目に細分される。損券の判定は、これら合計９個の判定項目について行われ、判定項目のそれぞれについて、判定レベルが設定される。正損の検知レベルを変更することは、これら９個の判定項目の判定レベルの組み合わせを変更することに相当する。
【０１２４】
紙幣処理装置１は、こうした正損の検知レベルの変更を容易に行うことができるように、正損検知パターンを、予め設定して登録することができるように構成されていると共に、選択した正損検知パターンにおける各判定項目の判定レベルを確認すること、及び、判定レベルを調整すること、をそれぞれ容易に行うことができるよう構成されている。
【０１２５】
具体的に各計数画面Ｄ１、Ｄ３、Ｄ５、及び、各設定画面Ｄ２、Ｄ４、Ｄ６の右下には、正損の検知レベルを確認するためのボタンが設けられている（図例では「損検知  ３」であり、これは、後述するように、第３の登録パターンであることを示している）。操作者がこのボタンを選択操作したときには、図８の左に示す画面Ｄ１４が表示される。画面Ｄ１４は、各計数画面Ｄ１、Ｄ３、Ｄ５、及び、各設定画面Ｄ２、Ｄ４、Ｄ６に対して、正損の検知レベルを示す画面（汚損検知レベル詳細）が、上書きで表示されている。
【０１２６】
「汚損検知レベル詳細」には、現在選択されている登録パターンの名称（図８の例では、「＊＊＊＊＊」で伏せ字にしている）と、当該登録パターンにおいて設定されている複数の判定項目それぞれの判定レベルとが示されている。判定レベルは、この構成例では、１〜７の数字と、判定を行わないＯＦＦとによって表される。操作者は、現在設定されている正損の検知レベル（の組み合わせ）を確認することができる。
【０１２７】
画面Ｄ１４においては、各判定項目の判定レベルを変更することが可能に構成されている。具体的には、判定レベルを変更したい判定項目を選択する操作をすると、図８の右に示すように、「＋」と「−」とのボタンが表示される。操作者は、「＋」を操作することにより判定レベルを上げることができると共に、「−」を操作することにより判定レベルを下げることができる。このように、複数の判定項目のそれぞれについて個別に、判定レベルを変更することができる。
【０１２８】
画面Ｄ１４において、登録パターンの名称（「＊＊＊＊＊」の両側には、矢印（「＜」「＞」）ボタンが設けられている。操作者がこれらの矢印ボタンを選択操作すると、正損検知の登録パターンを変更することができる。操作者は、複数の登録パターンから所望の登録パターンを容易に選択することができる。
【０１２９】
また、画面Ｄ１４において、「汚損検知レベル詳細」の余白部分を選択すると、図９の設定画面Ｄ１６が、表示部１７に表示される（図９参照）。この設定画面Ｄ１６には、前述した「厚損」、「欠損」、及び、「汚損」としての「油しみ」「落書き」「しわ」「折れくせ」「テープ」「破れ」の各項目について、判定レベルを設定するための１〜７の数字と、判定を行わない「ＯＦＦ」のボタンとが表示されている。尚、図９の画面構成例では、汚損の判定項目は、その一部のみが示されているが、当該項目はスクロール表示が可能であり、残りの判定項目はスクロールによって表示される。
【０１３０】
操作者は、いずれかのボタンを選択することにより、当該項目についての判定レベルを設定することができる。設定された判定レベルは、色が変わることにより、操作者は、設定した判定レベルを、容易に確認することができる。また、設定画面Ｄ１６においては、「油しみ」「落書き」「しわ」「折れくせ」「テープ」「破れ」の汚損の各項目については、金種別に、異なる判定レベルを設定することが可能に構成されている。
【０１３１】
設定画面Ｄ１６において「登録」ボタンを選択操作すると、設定した内容が、登録パターンとして、記憶部４２に記憶されると共に、表示部１７には、画面Ｄ１４が表示される。また、「戻る」ボタンを選択操作すると、設定した内容が登録されずに、表示部１７には、画面Ｄ１４が表示される。
【０１３２】
尚、画面Ｄ１４において「閉じる」を選択すると、「汚損レベル詳細」が消えて、元の各計数画面Ｄ１、Ｄ３、Ｄ５、及び、各設定画面Ｄ２、Ｄ４、Ｄ６が表示部１７に表示される。
【０１３３】
また、図９の画面Ｄ１５は、正損検知レベルの登録パターンを設定するために表示部１７に表示される初期画面である。初期画面Ｄ１５には、合計１０個のボタンが設けられている。各ボタンは、一つの登録パターンに対応している。図例では、１０個のパターンを登録することができるよう構成されている。登録可能なパターンの数は、適宜の数にすればよい。各ボタンには、０１〜１０のパターン番号と、登録パターンの設定内容を表す文言（図例では、「＊＊＊＊＊」の伏せ字）とが記載される。文言は、操作者によって適宜設定することができる。
【０１３４】
初期画面Ｄ１５においていずれかのボタンを選択操作すると、表示部１７には、当該登録パターンに対応する設定画面Ｄ１６が表示される。前述したように、設定画面Ｄ１６において正損の検知レベルを設定した後、「登録」ボタンを選択操作すれば、設定した内容が登録されると共に、表示部１７には、初期画面Ｄ１５が表示される。「戻る」ボタンを選択操作すれば、設定した内容が登録されずに、表示部１７には、初期画面Ｄ１５が表示される。
【０１３５】
尚、ここに開示する技術は、図１に示す紙幣処理装置１に適用することに限らず、例えば図１０に示すように、複数の紙幣処理装置１０１、１０２を含む紙幣処理システムに適用してもよい。紙幣処理システムは、ネットワーク１０３を介して複数の紙幣処理装置１０１、１０２に接続される管理コンピュータ１００を備えている。管理コンピュータ１００は、例えば汎用のコンピュータとしてもよい。紙幣処理システムに含まれる紙幣処理装置の数には、特に制限はない。
【０１３６】
各紙幣処理装置１０１、１０２は、管理コンピュータ１００からの信号に基づいて、紙幣の処理を実行するよう構成されている。操作者は、管理コンピュータ１００において操作を行うことにより、各紙幣処理装置１０１、１０２を使って、紙幣の処理を実行することができる。各紙幣処理装置１０１、１０２は、表示部１７を備えていない。
【０１３７】
前述した画面Ｄ１〜Ｄ１６は、管理コンピュータ１００に表示される。管理コンピュータ１００において、複数の紙幣処理装置１０１、１０２における処理の設定事項を、一括して設定してもよい。また、複数の紙幣処理装置１０１、１０２のそれぞれについて個別に、設定事項を設定してもよい。
【０１３８】
尚、ここに開示する技術は、紙幣の処理を行う装置に限らない。例えば硬貨の分別処理を行うような装置に、ここに開示する技術を適用することができる。
【０１３９】
また、前述した構成において、正損の検知レベルの設定や、正損の検知レベルを表示する画面の構成は、前述した紙幣処理装置に適用することに限らず、紙幣及び硬貨の入金処理や出金処理を行う出納機、ＡＴＭ、両替機、及び、自動販売機、レジ釣銭機等の、貨幣の処理を行う各種の装置に広く適用することが可能である。
【符号の説明】
【０１４０】
１  紙幣処理装置（貨幣処理装置）
１００  管理コンピュータ（表示部）
１０１  紙幣処理装置（貨幣処理装置）
１０２  紙幣処理装置（貨幣処理装置）
１７  表示部
１８  識別部（処理部）
２１  第１反転部（処理部）
２２  第２反転部（処理部）
４２  記憶部
７  帯封部（処理部）
７１  印字部（処理部）
【図１】
2019169072.tif 000003
【図２】
2019169072.tif 000004
【図３】
2019169072.tif 000005
【図４】
2019169072.tif 000006
【図５】
2019169072.tif 000007
【図６】
2019169072.tif 000008
【図７】
2019169072.tif 000009
【図８】
2019169072.tif 000010
【図９】
2019169072.tif 000011
【図１０】
2019169072.tif 000012